(57)【要約】補綴物固定構造は、歯根２に埋め込まれ、胴周りに形成された第１溝８を有する支台部４と、前記第１溝８に対応して内面に設けられた第２溝１８を有する嵌合部を有する補綴物１４と、前記第１溝８と前記第２溝１８に嵌合して、前記補綴物１４を前記支台部４に着脱可能に保持するＣリング１０とを具備する。【特許請求の範囲】
【請求項１】
歯根に取り付けられ、前記歯根から離れた外周に形成された第１溝を有する支台部と、
前記第１溝に対応して内面の内周に設けられた第２溝を有する嵌合部を有する補綴物と、
前記第１溝と前記第２溝に嵌合して、前記補綴物を前記支台部に着脱可能に保持するＣリングと
を具備する補綴物固定構造。
【請求項２】
請求項１に記載の補綴物固定構造において、
前記歯根は、人工歯根である
補綴物固定構造。
【請求項３】
請求項１に記載の補綴物固定構造において、
前記歯根は、天然歯根である
補綴物固定構造。
【請求項４】
請求項１乃至３のいずれかに記載の補綴物固定構造において、
前記Ｃリングは、弾性材により形成されている
補綴物固定構造。
【請求項５】
請求項４に記載の補綴物固定構造において、
前記Ｃリングは、ステンレスと、チタンと、チタン合金とからなる群から選択される材料で形成されている
補綴物固定構造。
【請求項６】
請求項５に記載の補綴物固定構造において、
前記Ｃリングは、テフロン（登録商標）でコーティングされている
補綴物固定構造。
【請求項７】
請求項４に記載の補綴物固定構造において、
前記Ｃリングは、弾性を有するプラスチックで形成されている
補綴物固定構造。
【請求項８】
請求項７に記載の補綴物固定構造において、
前記Ｃリングは、中空状である
補綴物固定構造。
【請求項９】
請求項６又は８に記載の補綴物固定構造において、
前記Ｃリングは、ポリプロピレン、ナイロン、ポリウレタン、ポリシリコン、アクリル樹脂、繊維強化プラスチックス（ＦＲＰ）からなる群から選択された材料で形成されている
補綴物固定構造。
【請求項１０】
請求項４乃至９のいずれかに記載の補綴物固定構造において、
前記Ｃリングの線材の径は、０．２ｍｍから０．８ｍｍの範囲内である
補綴物固定構造。
【請求項１１】
請求項４乃至１０のいずれかに記載の補綴物固定構造において、
前記Ｃリングの開口通る第１径は、前記第１径と直交する第２径より長い
補綴物固定構造。
【請求項１２】
請求項１乃至１１のいずれかに記載の補綴物固定構造において、
前記支台部は、円錐形状の上部構造を有し、
前記補綴物の嵌合部は、前記円錐形状に適合する前記内面を有する
補綴物固定構造。
【請求項１３】
請求項１乃至１１のいずれかに記載の補綴物固定構造において、
前記支台部は、多角柱形状の上部構造を有し、
前記補綴物の嵌合部は、前記多角柱形状に適合する前記内面を有する
補綴物固定構造。
【請求項１４】
請求項１乃至１１のいずれかに記載の補綴物固定構造において、
前記支台部は、多角錐形状の上部構造を有し、
前記補綴物の嵌合部は、前記多角錐形状に適合する前記内面を有する
補綴物固定構造。
【請求項１５】
請求項１乃至１４のいずれかに記載の複数の前記支台部と、
前記複数の支台部に対応して設けられた、請求項１乃至１４のいずれかに記載の複数の前記嵌合部を有する前記補綴物と、
前記複数の支台部と前記複数の嵌合部に対して設けられた複数の前記Ｃリングと
を具備する補綴物固定構造。
【請求項１６】
胴周りに形成された第１溝を有する支台部と、前記第１溝に対応して内面に設けられた第２溝を有する嵌合部を有する補綴物とを提供することと、
前記補綴物の前記嵌合部に形成された第２溝にＣリングをセットすることと、
前記Ｃリングが前記第１溝と前記第２溝に嵌合するように、前記補綴物を前記支台部に押し付けることと
を具備する補綴物の固定方法。
【請求項１７】
胴周りに形成された第１溝を有する支台部と、前記第１溝に対応して内面に設けられた第２溝を有する嵌合部を有する補綴物とを提供することと、
前記支台部に形成された第１溝にＣリングをセットすることと、
前記Ｃリングが前記第１溝と前記第２溝に嵌合するように、前記補綴物を前記支台部に押し付けることと
を具備する補綴物の固定方法。
【発明の詳細な説明】
【技術分野】
【０００１】
本発明は、補綴物固定構造と補綴物の固定方法に関する。
【背景技術】
【０００２】
歯科治療においては、人工の歯冠（以下クラウンと略称する）や義歯（以下デンチャーと略称する）などの補綴物が、固定源としての歯又は人工歯根に固定される場合がある。固定源としての歯の利用方法には、クラウン、デンチャーで覆われる歯（以下支台歯と略称する）とデンチャーで覆われない歯（以下鉤歯と略称する）を利用する方法がある。【０００３】
デンチャーの固定源に鉤歯を利用する場合は、図１に示されるように、鉤歯７４に金属製の針金または樹脂（以下クラスプと略称する）７５を把持させることによりデンチャー７０が固定される。この場合、歯の一部をクラスプ７５で覆うため審美的に良くなく、また口腔内の粘膜や舌への違和感、炎症の原因となり得る。【０００４】
磁石を利用して固定源としての支台歯にデンチャーを固定する方法も知られている。この固定方法では、図２に示されるように、デンチャー８０に磁石８５が取り付けられる。支台歯８６に支台８４が固定される。支台８４は磁石８５が引き付けられる素材で形成されている。これにより、磁力によりデンチャー８０が固定される。これをマグネットデンチャーと呼ぶ。しかしながら、磁石は側方からの力に対する固定力が弱い。また、マグネットデンチャーでは口腔内にある支台に磁力が残り、顔面部のＭＲＩ（核磁気共鳴断層撮影）の診断が正確に行えないことがある。【０００５】
また、ゴム製のＯリングを利用して固定源としての支台歯にデンチャーを固定する方法も知られている。この固定方法では、図３に示されるように、支台歯９６に支台９４が固定され、デンチャー９０に固定されたＯリング９５が支台９４に嵌め込まれる。これにより、デンチャー９０が固定される。これをＯリングデンチャーと呼ぶ。しかしながら、Ｏリングの場合は、ゴム自体が劣化し、Ｏリングの交換や、デンチャー自体の修復が頻繁に必要となる。【０００６】
また、コーヌスタイプと称される方法も知られている。デンチャーがコーヌス方法で固定される方法では、図４に示されるように、支台歯１０６に支台１０４が固定され、デンチャー１００に固定された外冠１０１が支台１０４を覆うことによりデンチャー１００が固定される。このデンチャーはコーヌスデンチャーと呼ばれている。しかしながら、この方法は、外冠が摩擦抵抗により固定されるので、非常に高い技工精度が要求される。支台と外冠の適合が悪い場合はその機能を発揮できない。このため、臨床では余り利用されなくなってきた。尚、この方法の場合、支台１０４の上部構造の表面傾斜角θが大きい方が好ましい。  【０００７】
また、歯科用セメントを使用した接着法（以下合着と略称する）よりクラウンを支台歯に固定する方法も知られている。この固定方法では、図５に示されるように、支台歯１１６に支台１１４が固定され、支台１１４とクラウン１１０との間に間隙１１９が形成され、その隙間１１９が歯科用セメントで満たされ、クラウン１１０が支台１１４と接着される。しかしながら、この方法では、一度固定されたクラウン１１０は、通常それを壊さない限り、取り外しができない。歯科治療における合着、仮着には、取り外し可能な歯科用セメントを使用する接着法（以下仮着と略称する）もあるが、接着期間のコントロールが難しく、長期に放置すると取り外しが出来なくなる場合がある。【０００８】
次に、図６，７を参照して、インプラント治療におけるクラウンの固定方法について説明する。インプラント治療では、通常、顎骨にチタン材等で製作されたインプラントの歯根１２４，１３４が埋め込まれ、その歯根１２４，１３４の上にアバットメント１２３，１３３が取り付けられ、更にアバットメント１２３，１３３の上部が補綴物１２１，１３１で覆われる。インプラント治療における補綴物の固定方法は、上記のような着脱不可能なセメント合着法と着脱可能なネジ止めによる可撤式の固定法の２種類に限られている。また、歯科医師が取り外し可能なネジ止めの可徹式のクラウンもあるが、非常に高い技工精度が要求される為、治療費が高額になる。【０００９】
歯科用インプラントにおける、ネジ止めによる可撤式のクラウンの固定方法は、２通りの方法がある。１つは、図６に示されるように、クラウン１２１に咬合面から貫通孔１２８が形成される。インプラント１２４の支台部であるアバットメント１２３の上端部にネジ穴１２９が形成され、ネジ１２０が貫通孔１２８を介してネジ穴１２９にネジ止めされる方法である。他の方法は、図７に示されるように、咬合面からのネジ止めを避けるため、クラウン１３１に側面から貫通孔１３８が形成され、インプラント１３４の支台部であるアバットメント１３３の側端部にネジ穴１３９が形成され、ネジ１３０が貫通孔１３８を介してネジ穴１３９にネジ止めされる方法である。側方でのネジ止め法はサイドスクリュー法とよばれている。【００１０】
両方の方法とも補綴物をネジで固定するため、支台とクラウンとの適合が悪い場合には、咬合による負荷が繰り返し加わるとネジの緩みが生じる場合がある。更にこの状態が継続されるとネジが破折に至る事がある。またクラウンを固定するネジは非常に小さいので口腔内で正確に取り付ける作業は熟練を要しネジ止め時の締め込みが不足している場合にネジの破折の可能性が高くなる。またネジ止め方式は部品点数が多く歯科技工において非常に高い精度が要求される。歯科医による施術も高いレベルの技術を要し患者の負担費用が大きくなるの問題もある。【００１１】
以上の理由のため、患者が支台歯に違和感を持った場合、ただちに患者自身がクラウンを取り外し、咬合による違和感から解放できるような補綴システムがあれば、支台歯への悪影響を最小限にとどめる事が可能となる。ネジ止めによる可撤式はインプラントに不具合があった場合、補綴物を取り外す事が可能で、取り外しによりインプラントの治療が行える。しかしながら、ネジの緩みを患者が放置した場合、インプラントそのものの不具合を生じる事が多い。そこで、ネジを使用することなく、クラウンの取り外しが必要なとき、容易に取り外しが行える補綴物固定構造の必要性が高まっている。
【発明の開示】
【００１２】
本発明の課題は、歯冠等の補綴物をインプラントに止めネジを用いることなく歯科医または患者が容易に取り外しができる可撤式の補綴物固定構造と補綴物の固定方法を提供することにある。
【００１３】
本発明の観点では、補綴物固定構造は、歯根に取り付けられ、前記歯根から離れた外周に形成された第１溝を有する支台部と、前記第１溝に対応して内面の内周に設けられた第２溝を有する嵌合部を有する補綴物と、前記第１溝と前記第２溝に嵌合して、前記補綴物を前記支台部に着脱可能に保持するＣリングとを具備する。
ここで、前記歯根は、人工歯根であってもよく、自然の歯根であってもよい。
前記Ｃリングは、弾性材により形成され、ステンレスと、チタンと、チタン合金とからなる群から選択される材料で形成されていてもよい。また、前記Ｃリングは、テフロン（登録商標）でコーティングされていることが好ましい。あるいは、前記Ｃリングは、弾性を有するプラスチックで形成されていてもよい。このとき、前記Ｃリングは、ポリプロピレン、ナイロン、ポリウレタン、ポリシリコン、アクリル樹脂、繊維強化プラスチックス（ＦＲＰ）からなる群から選択された材料で形成されていることが好ましい。このとき、プラスチックは中空状のプラスチックで形成されていてもよい。また、前記Ｃリングの線材の径は、０．２ｍｍから０．８ｍｍの範囲内であることが、リングの取付と強度の観点から好ましい。
前記Ｃリングの開口通る第１径φ１は、前記第１径と直交する第２径φ２より長くてもい。円形で開口部を有するＣリングを使用することができるが、そのＣリングを開口を通る径に直交する方向につぶすことにより弾力を調整することができる。これにより、歯科医が補綴物を着脱するときには、硬めに、患者が着脱するときには緩めにＣリングを調整することができる。
また、前記支台部は、円錐形状の上部構造を有し、前記補綴物の嵌合部は、前記円錐形状に適合する前記内面を有してもよいし、あるいは前記支台部は、多角柱形状の上部構造を有し、前記補綴物の嵌合部は、前記多角柱形状に適合する前記内面を有してもよい。更に、前記支台部は、多角錐形状の上部構造を有し、前記補綴物の嵌合部は、前記多角錐形状に適合する前記内面を有してもよい。
【００１４】
また、本発明の他の観点では、補綴物が複数の歯に渡るときには、補綴物固定構造は、上記の複数の前記支台部と、前記複数の支台部に対応して設けられた、上記の複数の前記嵌合部を有する前記補綴物と、前記複数の支台部と前記複数の嵌合部に対して設けられた複数の前記Ｃリングとを具備する。
【００１５】
また、本発明の他の観点では、補綴物の固定方法は、胴周りに形成された第１溝を有する支台部と、前記第１溝に対応して内面に設けられた第２溝を有する嵌合部を有する補綴物とを提供することと、前記補綴物の前記嵌合部に形成された第２溝にＣリングをセットすることと、前記Ｃリングが前記第１溝と前記第２溝に嵌合するように、前記補綴物を前記支台部に押し付けることとを具備する。
【００１６】
また、本発明の他の観点では、補綴物の固定方法は、胴周りに形成された第１溝を有する支台部と、前記第１溝に対応して内面に設けられた第２溝を有する嵌合部を有する補綴物とを提供することと、前記支台部に形成された第１溝にＣリングをセットすることと、前記Ｃリングが前記第１溝と前記第２溝に嵌合するように、前記補綴物を前記支台部に押し付けることとを具備する。
【図面の簡単な説明】
【００１７】
【図１】図１は、鉤歯に金属製の針金または樹脂を把持させることによりデンチャーを固定する従来の方法を示す図である。
【図２】図２は、磁石によりデンチャーを固定する従来の方法を示す図である。
【図３】図３は。Ｏリングによりデンチャーが支台に固定する従来の方法を示す図である。
【図４】図４は、外冠が支台を覆うことによりデンチャーを固定する従来の方法を示す図である。
【図５】図５は、セメントにより支台にクラウンを固定する従来の方法を示す図である。
【図６】図６は、ネジによりアバットメントにクラウンを固定する従来の方法を示す図である。
【図７】図７は、ネジによりアバットメントにクラウンを固定する従来の方法を示す図である。
【図８】図８は、本発明の第１実施例による補綴物固定構造を示す部分断面図である。
【図９Ａ】図９Ａは、第１実施例におけるクラウンの構造を示す図である。
【図９Ｂ】図９Ｂは、第１実施例における支台の構造を示す図である。
【図１０Ａ】図１０Ａは、本発明の第１実施例におけるＣリングの形状を示す図である。
【図１０Ｂ】図１０Ｂは、本発明の第１実施例におけるＣリングの他の形状を示す図である。
【図１１Ａ】図１１Ａは、本発明の第２実施例による補綴物固定構造が、支台歯をデンチャーの固定源としたときの部分断面図である。
【図１１Ｂ】図１１Ｂは、図１１Ａに示される固定構造の部分拡大図である。
【図１２】図１２は、本発明の第３実施例による補綴物固定構造を示す図である。
【図１３】図１３は、本発明の第４実施例による補綴物固定構造を示す図である。
【図１４】図１４は、本発明の第５実施例による補綴物固定構造を示す図である。
【発明を実施するための最良の形態】
【００１８】
以下に添付図面を参照して、本発明による補綴物固定構造と補綴物の固定方法について説明する。【００１９】
図８は、本発明の第１実施例による補綴物固定構造を示す部分断面図である。図８を参照して、補綴物固定構造は、支台４と、クラウンとを有している。クラウンは外冠１２と内冠１４を備えている。【００２０】
支台４が歯根２に歯科用セメント材で固定されている。支台４の上部構造は、円錐台形として形成され、その円錐台部の胴廻りに一周分の溝８が形成されている。クラウンは外冠１２と内冠１４とからなり、内冠１４の内面には一周分の溝１８が形成されている。溝８，１８は、Ｃリング１０が脱落しないように、また、固定された後、ガタツキが無いように、適切なサイズ、例えばＣリング１０の２０％程大きいサイズに形成されている。溝８，１８は、半円形又は多角形状の断面を有している。【００２１】
外冠１２となる材料は通常の歯科技工作業で使用されるセラミックス材料やハイブリッドレジンなどの歯冠修復材が使用可能な形状に形成されている。歯科用金属もしくはアルミナセラミックス、ジルコニアセラミックス等のセラミックス、チタン、チタン合金等が適している。内冠１４は、ステンレス、チタン、チタン合金等の材料で形成されている。支台４も内冠１４と同じ材料で形成されている。【００２２】
Ｃリング１０は、図１０Ａに示されるように、通常は一部に開口を有する円形状を有する。しかしながら、Ｃリングは、図１０Ａに示されるように、楕円形状を有してもよいし、さらに変形されていてもよい。この場合開口を通る直径φ１は、直径φ１に直交する直径φ２より大きい。これにより、着脱時の強さを調整することが可能となる。Ｃリング１０は、ステンレス材、チタン、チタン合金など口腔内で腐食せず、バネ性のある強度の高い材料で形成されている。Ｃリング１０の線径は０．２〜０．８ｍｍが溝への適合性、強度の点で適当である。【００２３】
補綴物としてのクラウンを固定するときには、図９Ａと９Ｂに示されるように、Ｃリング１０がクラウンの溝１８にはめ込まれ、クラウンが支台４を覆うように押し込まれる。このとき、Ｃリング１０は溝８，１８と適合して溝８，１８に安定的にはまり込みる、これにより、クラウンが容易に抜ける事はない。支台４と内冠１４の溝の位置関係は、支台４にクラウンが完全に被さった状態で同じ高さ位置になる。クラウンは歯冠修復材による通常の技工操作で製作され、Ｃリング１０を介して着脱可能な補綴物となる。
より詳細には、クラウン内の内冠１４の内面の溝１８にＣリング１０が嵌め込まれる。このとき、Ｃリング１０の一部が溝１８から少しはみ出る状態となる。はみ出たＣリング１０は、クラウンを支台４に被せる時に押し広げられ、溝８の位置で支台４にはまり込む。その結果クラウンと支台４が固定される。【００２４】
クラウンを支台４に被せることでクラウンが取り付けられ、反対に引っ張ることでクラウンが取り外される。図８に示される補綴物固定構造の場合は、歯科医が着脱するのでＣリングの弾力は比較的強めに設定され、またデンチャーの場合は患者が着脱しやすいようにＣリングの弾力は弱めに設定される。このように、Ｃリング１０の形状を変えるだけで、設定される弾力を調整することができる。【００２５】
次に、図１１Ａと１１Ｂを参照して、本発明の第２実施例による補綴物固定構造について説明する。支台歯をデンチャーの固定源とした利用例である。デンチャー２０の内側に埋め込まれた内冠２６を支台２４に被せることで、デンチャー２０が固定される。第１実施例と同様に、Ｃリング２８は内冠２６の内面に形成された溝２５と支台２４の外周に形成された溝２３の間に設定される。これにより、デンチャー２０が支台２４に固定される。支台２４は支台歯２２に歯科用セメントで合着されている。【００２６】
デンチャー２０の固定源の場合、支台２４の高さＬは低いほど、また支台２４の立ち上がり角度θも小さいほど、デンチャーの着脱が容易になるため有利である。ただし実用上はＬは１．０〜５．０ｍｍほどで、θは７５〜８２度程度が妥当である。Ｃリング２８の嵌合の強さは、患者自身がデンチャー２０の取り外しを行うので、弱めに設定する必要がある。またデンチャー２０にの外冠２９は、内冠２６の外周上にアンダーカット部２７を設けることにより、より強固に内冠２６に固定させることができる。【００２７】
歯科治療でのクラウンの固定方法では、従来セメントによる合着などの接着方式とネジ止めによる方式等が行われてきたが、本発明の方式ではネジ止めを行うことなくＣリングによりクラウンが固定される。従って、クラウンの製作が容易になり施術の費用を抑えることができる。さらに歯科医、場合によっては患者によってクラウンあるいはデンチャーの着脱が容易に行われることができる。このため、歯科治療での適用範囲が広がるうえ、容易にまた確実な治療が行える。【００２８】
次に、本発明の第３実施例による補綴物固定構造について、図１２を参照して説明する。この実施例は、インプラントが使用される例である。図１２を参照して、第３実施例による補綴物固定構造は、人工歯根としてのインプラント３２、支台としてのアバットメント３４、クラウン、Ｃリング３８とを備えている。クラウンは、外冠３９と内冠３６とを有している。
内冠３６は、通常の歯科技工作業で歯科用のセラミックス材料やハイブリッドレジンで歯冠回復できる材料で形成され、その材料は、歯科用金属、もしくはアルミナセラミックス、ジルコニアセラミックス等のセラミックス、チタン、チタン合金等である。アバットメント３４は、チタン、チタン合金等で形成されている。【００２９】
Ｃリング３８は、第１実施例と同様に、開口を有する円形を有するが、わずかに変形させることにより着脱強さを調整することができる。Ｃリングは、ステンレス材、チタン合金など口腔内で腐食しない材料で、弾性のある強度の高い材料により製作される。Ｃリング材の線径は０．２〜０．８ｍｍが溝への適合性、強度の点で適当である。第３実施例では、Ｃリング３８としてバネ材であるＳＵＳ―３０１の径０．３５ｍｍ線材を使用してＣ形状に加工したのちテフロン（登録商標）をコーテイングして０．５５ｍｍ径のＣリングを製造した。このような加工によりバネ性が強く耐食性の高い歯科用Ｃリングを製造することができる。【００３０】
しかしながら、Ｃリング３８は、口腔内で腐食しないで、バネ性のある強度の高いプラスチック製材料であってもよい。プラスチック材として異方性が高く、強度も高い液晶プラスチックを使用することができる。この場合は、Ｃリング３８は、射出成形またはプレス成形により、０．５ｍｍの線径を有するように形成されてもよい。Ｃリング材の線径は補綴物の大きさにもよるが０．２〜０．８ｍｍが溝への適合性、強度の点で適当である。またプラスチック材料としては、上記以外に、強度、耐食性等が優れたポリプロピレン、ナイロン、ポリウレタン、ポリシリコン、アクリル樹脂、繊維強化プラスチックス（ＦＲＰ）等が使用できる。【００３１】
次に第３実施例による補綴物固定構造の固定方法について説明する。インプラント３２は人工歯根として顎骨に固定されている。支台としてのアバットメント３４は、歯科用インプラント３２にネジ止めにより固定される。アバットメント３４は、円錐台形の上部構造を有し、その上部構造の胴廻りに一周分の溝３３が形成されている。その溝３３は、クラウンの内冠３６の内面に形成された一周分の溝３５に位置的に対応している。溝３３にＣリング３８が嵌め込まれる。その後クラウンがアバットメント３４に押し付けられ、内冠３６の溝３５がＣリング３８と嵌合する。Ｃリング３８はアバットメント３４の溝３３と内冠３６の溝３５に安定的にはめこまれ容易に抜けることはない。内冠３６に外冠３９を通常の技工作業にて形成することにより、Ｃリング３８を介してアバットメント３４に対して着脱可能な補綴物（クラウン）を製作することができる。【００３２】
より詳細には、Ｃリング３８は、押し広げられ、溝３３から少しはみでる状態でアバットメント３４に取り付けられる。次にクラウンがアバットメント３４に押し付けられた際に、Ｃリング３８は一旦変形し、内冠３６の溝３５の位置で再び元の状態に戻る。こうして、アバットメント３４の溝３３と内冠３６の溝３５に対応する位置で、クラウンは、アバットメント３４に固定される。クラウンをはずすときには、取りはずし方向に引っ張ることにより行われる。【００３３】
第３実施例においては、第１実施例とは反対に、Ｃリング３８が予めアバットメント３４に取り付けられている。しかしながら、第１実施例と同様に、初めに内冠３６に取り付けられてもよい。同様に、第１実施例でも、Ｃリング３８が初めに支台４に取り付けられていてもよい。【００３４】
次に、図１３を参照して、本発明の第４実施例による補綴物固定構造について説明する。単独の歯の場合は、アバットメントの内冠との間の固定は回転が防止される構造とする。このとき、アバットメントは、下部構造４４と上部構造４２とを有する。下部構造４４は、インプラント３２にネジ止めされる。上部構造４２は、下部構造４４と嵌合して、回転しない。上部構造４２は、六角柱形状を有している。これにより、クラウンの回転が防止される。上部構造４２は、四角柱や八角柱などの多角柱形状を有していてもよいし、多角錐台の形状を有していてもよい。いずれの場合も、クラウンの回転を防止することができる。Ｃリング３８を固定するための１周分の溝３３は、上部構造４２の外周、即ち稜線部に形成されている。尚、小臼歯部位のインプラントなど、大きな負荷がかからない個所のインプラントに対しては、アバットメントとインプラントとの間の嵌合はテーパー嵌合のみでよい。また、単独のクラウンの場合には、歯冠形状にもよるが、クラウンの取り付けは歯科医が行い患者が容易に取り外しができない強さにする必要がある。【００３５】
次に、図１４を参照して、本発明の第５実施例の補綴物固定構造について説明する。インプラント５２が義歯（残存歯根あるいはインプラントを義歯床で被覆する形態の補綴物）の支台として利用される例である。アバットメント５４はインプラント５４にネジ止めにより固定され、義歯６１の内面に埋め込まれた内冠５６と嵌合し、Ｃリング５８により上記実施例と同様に固定される。ここで、アッバトメントとインプラントの嵌合は、テパー嵌合であってもよい。また、Ｃリング５８は、上記実施例のいずれかによるものを使用することができる。【００３６】
第５実施例では、クラウンが複数連結される場合、支台としてのアバットメント５４は、円錐台の上部形状を有する。単独のクラウンの場合は、アバットメント５４は、上記のように円錐台形状あるいは多角錐台形状を有する。あるいは、四角柱、六角柱などの多角柱形状を有することが好ましい。これにより、クラウンの回転が防止される。【００３７】
義歯支台の場合、アバットメント５３の支台部の高さＬは低いほど、アバットメント５３の内冠５６との嵌合部の立ち上がり角度θも小さいほど、義歯の着脱が容易になるため有利である。ただし実際にはＬは１．０〜５．０ｍｍほどで、θが７５〜８２度程度が妥当である。Ｃリングの強さは患者が義歯の取り外しを行う事ができるように弱めに設定する必要がある。また義歯内面に固定するための内冠５６はアンダーカット部５７を設け、より強固に固定される。【００３８】
本発明によれば、クラウンの内面とアバットメントとが、溝に設けられた弾性を有するＣリングにより固定される。ある程度の力でクラウンを引っ張ることで溝からＣリングが外れる構造とすることによりクラウンの着脱が可能となる。しかもＣリングをわずかに変形させる事により着脱の強度を調整できる。また、本発明は、クラウンばかりでなくデンチャーへの応用も可能である。従来の歯科治療でこのような着脱可能なクラウンを製作する場合、歯科医および歯科技工士が行う作業は工程の複雑さや高い技工精度が要求されることから非常に高価であった。しかし本発明の補綴物固定構造を用いると、比較的容易にしかも安価に歯科治療を行え、さらには歯科医ばかりでなく場合によっては患者が着脱する事が可能となる。
【図１】
2005115270.tif 000002
【図２】
2005115270.tif 000003
【図３】
2005115270.tif 000004
【図４】
2005115270.tif 000005
【図５】
2005115270.tif 000006
【図６】
2005115270.tif 000007
【図７】
2005115270.tif 000008
【図８】
2005115270.tif 000009
【図９Ａ】
2005115270.tif 000010
【図９Ｂ】
2005115270.tif 000011
【図１０Ａ】
2005115270.tif 000012
【図１０Ｂ】
2005115270.tif 000013
【図１１Ａ】
2005115270.tif 000014
【図１１Ｂ】
2005115270.tif 000015
【図１２】
2005115270.tif 000016
【図１３】
2005115270.tif 000017
【図１４】
2005115270.tif 000018
【国際調査報告】
2005115270.tif 000019
2005115270.tif 000020
2005115270.tif 000021
2005115270.tif 000022
2005115270.tif 000023
2005115270.tif 000024